(57)【要約】【課題】球戻り規制部材の破損を抑制可能な遊技機の提供を目的とする。【解決手段】本発明の遊技機１０では、発射装置６１により発射された遊技球を遊技領域Ｒ１の上部に向けて誘導する球誘導路６２と遊技領域Ｒ１とを連絡する進入口１２Ｋに、遊技領域Ｒ１内に進入した遊技球が球誘導路６２に戻ることを規制する球戻り規制部材５０を備える。遊技領域Ｒ１には、遊技領域Ｒ１内に進入した遊技球の進路を変更可能な第１樹脂突部４１と第２樹脂突部４２が備えられている。第２樹脂突部４２の外面には、進入口１２Ｋ側を向き、且つ、下側へ向かうにつれて進入口１２Ｋから離れるように傾斜した左向き傾斜面４２Ａと、上側を向き、且つ、進入口１２Ｋから離れるにつれて下るように傾斜した上向き傾斜面４２Ｂと、が形成されている。【選択図】図６
2019058465.tif 000002
【特許請求の範囲】
【請求項１】
遊技球が流下可能な遊技領域を前面に有する遊技盤と、
発射装置により発射された遊技球を前記遊技領域の上部に向けて誘導する球誘導路と、
前記球誘導路と前記遊技領域とを連絡する連絡部に設けられて、前記遊技領域内に進入した遊技球が前記球誘導路に戻ることを規制する球戻り規制部材と、
前記遊技盤の前面に対して起立するように配置されて、前記遊技領域内に進入した遊技球の進路を変更可能な複数の樹脂突部と、を有する遊技機であって、
前記複数の樹脂突部には、前記連絡部に対して斜め上側に配置され、その連絡部側を向く面に下側へ向かうにつれて前記連絡部から離れるように傾斜した第１傾斜平面部を有する上側樹脂突部が備えられている遊技機。
【請求項２】
請求項１に記載の遊技機において、
前記上側樹脂突部は、上側を向く面に、前記連絡部から離れるにつれて下るように傾斜した第２傾斜平面部を有する遊技機。
【請求項３】
請求項２に記載の遊技機において、
前記上側樹脂突部は、上側に膨出する凸面状をなして前記第１傾斜平面部と前記第２傾斜平面部を連絡する曲面部を有する遊技機。
【請求項４】
請求項３に記載の遊技機において、
前記曲面部は、その凸面の頂点から前記第１傾斜平面部に連絡する第１湾曲部と、前記凸面の頂点から前記第２傾斜平面部に連絡する第２湾曲部と、で構成され、
前記第１湾曲部が前記第２湾曲部よりも長くなっている遊技機。
【請求項５】
請求項４に記載の遊技機において、
前記第１湾曲部は、前記第２湾曲部よりも上下方向に長くなっている遊技機。
【請求項６】
請求項４又は５に記載の遊技機において、
前記第１湾曲部は、前記第２湾曲部よりも横方向に長くなっている遊技機。
【請求項７】
請求項１乃至６のうち何れか１の請求項に記載の遊技機において、
前記複数の樹脂突部には、前記連絡部の真横に配置され、その連絡部側を向く面に鉛直方向に沿って起立した鉛直平面部を有する対向樹脂突部が備えられ、
前記対向樹脂突部は、上側を向く面に、前記連絡部から離れるにつれて下るように傾斜した第３傾斜平面部を有する遊技機。
【請求項８】
請求項７に記載の遊技機において、
前記遊技盤と直交する方向から見て、前記対向樹脂突部が前記上側樹脂突部よりも小さくなっている遊技機。
【発明の詳細な説明】
【技術分野】
【０００１】
本発明は、発射装置から発射された遊技球が球誘導路を通って遊技領域内に進入する遊技機に関する。
【背景技術】
【０００２】
特許文献１には、遊技領域と球誘導路の連絡部に、遊技領域に進入した遊技球が球誘導路へ戻ることを規制する球戻り規制部材を備える遊技機が示されている。
【先行技術文献】
【特許文献】
【０００３】
【特許文献１】特開２００９−１５３６４８号（段落［００２１］、図１）
【発明の概要】
【発明が解決しようとする課題】
【０００４】
特許文献１の遊技機では、遊技領域内の遊技球が球戻り規制部材に衝突したときに、球戻り規制部材が破損するという問題があった。
【０００５】
本発明は、球戻り規制部材の破損を抑制可能な遊技機の提供を目的とする。
【課題を解決するための手段】
【０００６】
第１の手段は、遊技球が流下可能な遊技領域を前面に有する遊技盤と、発射装置により発射された遊技球を前記遊技領域の上部に向けて誘導する球誘導路と、前記球誘導路と前記遊技領域とを連絡する連絡部に設けられて、前記遊技領域内に進入した遊技球が前記球誘導路に戻ることを規制する球戻り規制部材と、前記遊技盤の前面に対して起立するように配置されて、前記遊技領域内に進入した遊技球の進路を変更可能な複数の樹脂突部と、を有する遊技機であって、前記複数の樹脂突部には、前記連絡部に対して斜め上側に配置され、その連絡部側を向く面に下側へ向かうにつれて前記連絡部から離れるように傾斜した第１傾斜平面部を有する上側樹脂突部が備えられている遊技機である。
【発明の効果】
【０００７】
本発明によれば、球戻り規制部材の破損が抑制可能となる。
【図面の簡単な説明】
【０００８】
【図１】本発明の一実施形態に係る遊技機の正面図
【図２】遊技盤の正面図
【図３】前面枠を開放した遊技機の斜視図
【図４】釘無し領域周辺の正面図
【図５】第２樹脂突部の正面図
【図６】樹脂突部による遊技球の跳ね返りを説明するための図
【発明を実施するための形態】
【０００９】
図１に示されるように、本実施形態に係る遊技機１０は、図２に示される遊技盤１１を前面枠１０Ｚで覆ってなり、その前面枠１０Ｚに形成されたガラス窓１０Ｗを通して、遊技盤１１の前面に形成された略円形の遊技領域Ｒ１（図２参照）の全体が視認可能となっている。
【００１０】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置６１（図３参照）によって１球ずつ遊技領域Ｒ１に向けて弾き出される。
【００１１】
図３に示されるように、遊技機１０は、遊技盤１１を保持した遊技機本体１０Ｈの前面に、前面枠１０Ｚを開閉可能に備えている。遊技機本体１０Ｈの前面の右下隅部には、発射機構ユニット６０が設けられていて、遊技盤１１の前面には、発射機構ユニット６０の発射装置６１から発射された遊技球を遊技領域Ｒ１の左上部へと案内する球誘導路６２が形成されている。発射機構ユニット６０の左側方には、遊技領域Ｒ１まで到達せずに球誘導路６２を逆戻りした遊技球や球誘導路６２まで到達しなかった遊技球を回収して下皿２８に排出する戻り球回収ダクト６８が設けられている。
【００１２】
図２に示されるように、遊技盤１１の前面からは、遊技領域Ｒ１を包囲するガイドレール１２が突出している。ガイドレール１２は、円弧状に湾曲した第１レール部１２Ａ及び第２レール部１２Ｂを備えている。第１レール部１２Ａは、遊技領域Ｒ１の周縁部のうち上側の略１／４円周分を除いた部分に沿わせて配置されている。第２レール部１２Ｂは、その一端寄り部分（第２レース部１２Ｂの上部）が遊技領域Ｒ１の周縁部における上側の略１／４円周分に沿って延在し、他端寄り部分（第２レール部１２Ｂの左側部）が第１レール部１２Ａの左側部に外側から向かい合うように配置されている。そして、第１レール部１２Ａの左側部と第２レール部１２Ｂとの間に、発射装置６１から発射された遊技球を遊技領域Ｒ１へと誘導する球誘導路６２が形成されている。
【００１３】
第１レール部１２Ａの左側の上端部と第２レール部１２Ｂの中間部との間には、遊技球１〜２個分の隙間が設けられ、これにより、ガイドレール１２の左上部に、球誘導路６２の出口、即ち、遊技領域Ｒ１内に遊技球を進入させるための進入口１２Ｋが形成されている。そして、第２レール部１２Ｂのうち進入口１２Ｋより上側に配される部分によって、進入口１２Ｋから遊技領域Ｒ１内に進入した遊技球を右斜め上方に案内可能な円弧状案内部１２Ｅが形成されている。
【００１４】
図４に示されるように、本実施形態の遊技機１０では、第１レール部１２Ａに、遊技領域Ｒ１に進入した遊技球が球誘導路６２へと逆戻りすることを規制する球戻り規制部材５０が取り付けられている。球戻り規制部材５０は、第１レール１２Ａの左側の上端部に取り付けられる支持ベース５１と、支持ベース５１に回動可能に支持されて進入口１２Ｋを開閉する開閉部材５３と、を備える。なお、開閉部材５３は、遊技盤１１の前面に対して略直交する突片部５３Ｔを備える。突片部５３Ｔは、通常は、鉛直方向に沿って配置されて進入口１２Ｋを閉塞し、開閉部材５３が回動して横倒しに配置されると、進入口１２Ｋを開放する。
【００１５】
図２に示されるように、遊技盤１１のうち遊技領域Ｒ１の中央には、表示開口１１Ｈが貫通形成されており、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１６】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入しないようになっている。
【００１７】
詳細には、表示開口１１Ｈは、遊技領域Ｒ１の横方向の中間部で上側に寄せて配置され、遊技領域Ｒ１のうち表示装飾枠２３の左側と右側と下側には、それぞれ、遊技球が流下可能な左側流下領域Ｒ２と右側流下領域Ｒ３と下側流下領域Ｒ４が形成されている。また、表示装飾枠２３の上端部には、ガイドレール１２の上側部分（詳細には、第２レール１２Ｂ）に沿って円弧状に延びた上側円弧壁２５が設けられていて、この上側円弧壁２５とガイドレール１２との間に、遊技球が１つずつ通過可能な上側連絡流路２５Ｒが形成されている。
【００１８】
左側流下領域Ｒ２の下端部には、風車１９が設けられている。風車１９は、左側流下領域Ｒ２を流下してきた遊技球の進路を中央側へ変更して、下側流下領域Ｒ４へと案内する。
【００１９】
下側流下領域Ｒ４の横方向中央には、第１の始動入賞口１４Ａと大入賞口１５が上下に並べて設けられている。また、大入賞口１５の左右両側には、ガイドレール１２（詳細には、第１レール１２Ａ）に沿って一般入賞口２０が複数設けられている。
【００２０】
下側流下領域Ｒ４のうち第１の始動入賞口１４Ａより右側の部分には、第２の始動入賞口１４Ｂが設けられている。また、右側流下領域Ｒ３には、始動ゲート１８とサイド入賞口２１が設けられている。
【００２１】
一般入賞口２０、サイド入賞口２１、第１の始動入賞口１４Ａ、第２の始動入賞口１４Ｂ、大入賞口１５の何れかの入賞口に遊技球が入球し、その入球が図示しない球検出センサにより検出されると、上皿２６へ所定数の賞球が払い出される。また、遊技領域Ｒ１の下端部には、遊技球を遊技領域Ｒ１の外側に排出するためのアウト口１６が設けられていて、何れの入賞口にも入球しなかった遊技球は、このアウト口１６から図示しない球回収装置に回収される。さらに、遊技領域Ｒ１には、遊技球の流下方向をランダムに変更するための障害釘１７が多数植設されている。
【００２２】
図４に示されるように、表示装飾枠２３の左上部には、ガイドレール１２の円弧状案内部１２Ｅ側から流下してきた遊技球を受け止めて下方に案内可能な流下案内壁３２と、流下案内壁３２から外側に張り出して遊技盤１１の前面に重ねられる張出片３６と、が設けられている。流下案内壁３２は、上側円弧壁２５の左端部から下方に延びる縦壁３３と、縦壁３３の下端から左側に延びた横壁３４と、横壁３４の左端部から下方に延びる誘導傾斜壁３５とからなり、全体が略クランク状に形成されている。詳細には、縦壁３３、横壁３４及び誘導傾斜壁３５は全て、左下がりに傾斜し、縦壁３３の下り勾配は横壁３４の下り勾配より大きく、誘導傾斜壁３５の下り勾配は、横壁３４の下り勾配よりも大きくなっている。なお、誘導傾斜壁３５の下り勾配は、縦壁３３の下り勾配よりは小さくなっている。
【００２３】
遊技領域Ｒ１のうち流下案内壁３２と円弧状案内部１２Ｅとに挟まれた部分には、球導入領域Ｒ５が形成されている。球導入領域Ｒ５には、遊技盤１１の前面に対して起立するように樹脂突部４０が配置されている。樹脂突部４０は、張出片３６に一体形成され、張出片３６から前側に突出する。そして、球導入領域Ｒ５のうち樹脂突部４０を除く部分に、障害釘１７を有さずに遊技球が流下可能な釘無し領域Ｒ６が形成されている。
【００２４】
図４に示されるように、遊技機１０は、樹脂突部４０として、第１樹脂突部４１及び第２樹脂突部４２を備えている。第１樹脂突部４１及び第２樹脂突部４２は、円弧状案内部１２Ｅに沿って進入口１２Ｋに近い側、即ち、左側から順番に配置されている。なお、第１樹脂突部４１は、球戻り規制部材５０の真横に配置されて進入口１２Ｋに対向配置され、第２樹脂突部４２は、第１樹脂突部４１に対して右上側に配置される。詳細には、第２樹脂突部４２の下端は、第１樹脂突部４１の上端とほぼ同じ上下位置に配置されている。なお、第２樹脂突部４２の断面積は、第１樹脂突部４１の断面積よりも広くなっている。
【００２５】
第１樹脂突部４１は、断面形状が略ティアドロップ形状をなす柱状に形成され、該ティアドロップの先端が左上側を向くように配置されている。具体的には、第１樹脂突部４１の外周面は、左側を向いて進入口１２Ｋと対向する左向き鉛直面４１Ａと、上側を向いて左向き鉛直面４１Ａの上端から右斜め下方へと延びる上向き傾斜面４１Ｂと、左上側に開放した略Ｃ字状をなして左向き鉛直面４１Ａと上向き傾斜面４１Ｂの下端部同士を連絡する下向き円弧面４１Ｃと、からなる。
【００２６】
第２樹脂突部４２は、断面形状が略台形状をなす柱状に形成されていて、幅狭な部分が左上側を向くように配置されている。具体的には、第２樹脂突部４２の外周面には、左側を向くと共に右下がりに傾斜した左向き傾斜面４２Ａと、上側を向くと共に右下がりに傾斜した上向き傾斜面４２Ｂと、が備えられている。左向き傾斜面４２Ａと上向き傾斜面４２Ｂの上端部同士は、上側に膨出する凸面で構成された連絡凸面４３によって連絡されている。また、第２樹脂突部４２の外周面には、上向き傾斜面４２Ｂの右側端部から縦壁３３と略平行に下側へ延びる右向き対向面４２Ｃと、右向き対向面４２Ｃの下端から横壁３４と略平行に左側へ延びて左向き傾斜面４２Ａと連絡する下向き対向面４２Ｄと、が備えられている。なお、第２樹脂突部４２の周方向で、左向き傾斜面４２Ａと上向き傾斜面４２Ｂと下向き対向面４２Ｄの長さは略同じになっていて、それらの面４２Ａ，４２Ｂ，４２Ｄと比較して、右向き対向面４２Ｃの長さは短くなっている。
【００２７】
図５に示されるように、連絡凸面４３は、連絡凸面４３の頂点４３Ｔから左側へ延びて左向き傾斜面４２Ａに連絡する第１湾曲部４３Ａと、頂点４３Ｔから右側へ延びて上向き傾斜面４２Ｂに連絡する第２湾曲部４３Ｂと、で構成されている。ここで、連絡凸面４３の頂点４３Ｔは、連絡凸面４３のうち下向き対向面４２Ｄから最も離れた点を意味する。
【００２８】
第２樹脂突部４２の周方向で、第１湾曲部４３Ａは、第２湾曲部４３Ｂよりも長くなっている。詳細には、第１湾曲部４３Ａは、第２湾曲部４３Ｂよりも上下方向に長くなっていて、第２湾曲部４３Ｂよりも横方向に長くなっている。より詳細には、第１湾曲部４３Ａの曲率は、第２湾曲部４３Ｂの曲率よりも大きくなっている。
【００２９】
図６には、樹脂突部４０に遊技球が衝突したときの様子が示されている。図６において実線で示されるように、球導入領域Ｒ５に進入した遊技球が第２樹脂突部４２の左側部に衝突すると、その遊技球は、左向き傾斜面４２Ａによって下側に向かって跳ね返される。そして、その遊技球は、流下案内壁３２の横壁３４に沿って流下する。
【００３０】
また、図６において一点鎖線で示されるように、球導入領域Ｒ５に進入した遊技球が第２樹脂突部４２の上部の左寄り部分に衝突すると、その遊技球は、連絡凸面４３に跳ね返される。ここで、連絡凸面４３は、上述の如く、上側に膨出する凸面で構成されているので、連絡凸面４３によって跳ね返された遊技球は、進入口１２Ｋから遠ざかる方向に向かう。
【００３１】
また、図６において二点鎖線で示されるように、球導入領域Ｒ５に進入した遊技球が第２樹脂突部４２の上部の右寄り部分に衝突すると、その遊技球は、上向き傾斜面４２Ｂよって右側に跳ね返される。そして、その遊技球は、流下案内壁の縦壁３３に沿って流下する。
【００３２】
また、図６において、点線で示されるように、球導入領域Ｒ５に進入した遊技球が第２樹脂突部４２まで達せずに、第１樹脂突部４１に上側から衝突すると、その遊技球は、上向き傾斜面４１Ｂによって右側に跳ね返される。この遊技球は、第２樹脂突部４２に衝突すれば、上述したように、その遊技球は、左向き傾斜面４２Ａによって下側に向けて跳ね返され、その後、横壁３４に沿って流下する。また、第１樹脂突部４１の上向き傾斜面４１Ｂに跳ね返された遊技球は、第２樹脂突部４２に衝突しなければ、そのまま、横壁３４に沿って流下する。
【００３３】
ここで、第１樹脂突部４１が進入口１２Ｋの近傍（詳細には、進入口１２Ｋから遊技球１個分以上２個分未満の範囲）に配置されていること、及び、遊技球が進入口１２Ｋを通って球導入領域Ｒ５に進入するときには、球戻り規制部材５０の開閉部材５３の突片部５３Ｔが横倒しになっていること、を考慮すれば、球導入領域Ｒ５に進入した遊技球が第１樹脂突部４１に左側から衝突するという事態は発生困難となっている。なお、第１樹脂突部４１において左側を向く面は、鉛直に起立する左向き鉛直面４１Ａとなっているので、第１樹脂突部４１と球戻り規制部材５０との間の間隔を広く取ることが可能となる。これにより、万が一、球導入領域Ｒ５に進入した遊技球が進入口１２Ｋへと戻されたとしても、その遊技球を第１樹脂突部４１と球戻り規制部材５０との間に流下させ易くなり、第１樹脂突部４１と球戻り規制部材５０との間で球詰まりが発生することが抑制されている。
【００３４】
以上、説明したように、本実施形態の遊技機１０では、遊技領域Ｒ１内に進入した遊技球が第２樹脂突部４２に左側（即ち、進入口１２Ｋ側）から衝突すると、その遊技球は、左向き傾斜面４２Ａによって跳ね返される。ここで、左向き傾斜面４２Ａは、下側へ向かうにつれて進入口１２Ｋから離れるように傾斜しているので、左向き傾斜面４２Ａに跳ね返された遊技球は第２樹脂突部４２から下側に向かい、進入口１２Ｋよりも下側を流下し易くなる。また、遊技領域Ｒ１内に進入した遊技球が第１樹脂突部４１又は第２樹脂突部４２に上側から衝突すると、その遊技球は、上向き傾斜面４１Ｂ，４２Ｂによって進入口１２Ｋから遠ざかるように跳ね返される。このように、本実施形態の遊技機１０によれば、第１樹脂突部４１又は第２樹脂突部４２に跳ね返された遊技球が球戻り規制部材５０に衝突することが抑制され、球戻り規制部材５０の破損が抑制される。
【００３５】
また、遊技領域Ｒ１内に進入した遊技球が第２樹脂突部４２において左向き傾斜面４２Ａと上向き傾斜面４２Ｂに挟まれたコーナー部分に衝突すると、その遊技球は連絡凸面４３に跳ね返される。ここで、連絡凸面４３は、上側に膨出する凸面状をなすので、連絡凸面４３に跳ね返された遊技球は、進入口１２Ｋから遠ざかり易くなる。これにより、第２樹脂突部４２に衝突した遊技球が球戻り規制部材５０に衝突することが抑制され、球戻り規制部材５０の破損が抑制される。さらに、連絡凸面４３において頂点４３Ｔから左向き傾斜面４２Ａに連絡する第１湾曲部４３Ａが頂点４３Ｔから上向き傾斜面４２Ｂに連絡する第２湾曲部４３Ｂよりも長くなっているので、第２樹脂突部４２の上部に左側（進入口１２Ｋ側）から衝突する遊技球を進入口１２Ｋから遠ざかるように跳ね返し易くなる。しかも、第１湾曲部４３Ａは、第２湾曲部４３Ｂよりも上下方向に長くなっているので、第２樹脂突部４２に左側から近づく遊技球を第１湾曲部４３Ａに衝突させ易くなる。そのうえ、第１湾曲部４３Ａは、第２湾曲部４３Ｂよりも横方向に長くなっているので、連絡凸面４３の頂点４３Ｔが右側に寄せて配置されることとなり、第１湾曲部４３Ａの曲り具合が大きくなって、遊技球が進入口１２Ｋへ跳ね返ることが抑制される。
【００３６】
また、本実施形態では、第１樹脂突部４１よりも第２樹脂突部４２の方が遊技領域Ｒ１内に進入した遊技球と衝突し易い位置に配置される。そして、第２樹脂突部４２の左向き傾斜面４２Ａが下側へ向かうにつれて進入口１２Ｋから離れるように傾斜するので、遊技領域Ｒ１内に進入した遊技球を下側へ向けて流下させ易くなる。また、第１樹脂突部４１の左向き鉛直面４１Ａが鉛直に起立することで、進入口１２Ｋと第１樹脂突部４１の間の間隔を広くすることが可能となり、進入口１２Ｋと第１樹脂突部４１の間に遊技球を流下させることが可能となる。さらに、本実施形態では、第１樹脂突部４１よりも遊技球と衝突する可能性が高い第２樹脂突部４２に連絡凸面４３を備えることで、第２樹脂突部４２に衝突した遊技球を進入口１２Ｋから遠ざけ易くなる。また、遊技球と衝突する可能性が第２樹脂突部４２よりも低い第１樹脂突部４１に連絡凸面４３を備えない構成とすることで、第１樹脂突部４１の構造を簡易にすることが可能となる。
【００３７】
なお、本実施形態の遊技機１０において、第１樹脂突部４１が、第２樹脂突部４２と同様に、連絡凸面４３を備える構成であってもよい。また、第２樹脂突部４２が連絡凸面４３を備えない構成であってもよい。
【００３８】
また、本実施形態の遊技機１０において、第１樹脂突部４１と第２樹脂突部４２において左側（進入口１２Ｋ側）を向く面が左下がりに傾斜する構成でなければよく、第１樹脂突部４１において左側を向く面が右下がりに傾斜する傾斜してもよいし、第２樹脂突部４２において左側を向く面が鉛直に起立してもよい。
【００３９】
なお、本実施形態の遊技機１０において、第１樹脂突部４１と第２樹脂突部４２の他に、樹脂突部４０を備える構成であってもよいし、第１樹脂突部４１と第２樹脂突部４２の何れかのみを備える構成であってもよい。
【００４０】
＜付記１＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００４１】
＜特徴Ａ群＞
以下の特徴Ａ群は、「発射装置から発射された遊技球が球誘導路を通って遊技領域内に進入する」遊技機に関し、「特許文献Ａ（特開２００９−１５３６４８号（段落［００２１］、図１））には、遊技領域と球誘導路の連絡部に、遊技領域に進入した遊技球が球誘導路へ戻ることを規制する球戻り規制部材を備える遊技機が示されている。」という背景技術について、「特許文献Ａの遊技機では、遊技領域内の遊技球が球戻り規制部材に衝突したときに、球戻り規制部材が破損するという問題があった。」という課題をもってなされたものである。
【００４２】
［特徴Ａ１］
遊技球が流下可能な遊技領域（遊技領域Ｒ１）を前面に有する遊技盤（遊技盤１１）と、
発射装置（発射装置６１）により発射された遊技球を前記遊技領域の上部に向けて誘導する球誘導路（球誘導路６２）と、
前記球誘導路と前記遊技領域とを連絡する連絡部（進入口１２Ｋ）に設けられて、前記遊技領域内に進入した遊技球が前記球誘導路に戻ることを規制する球戻り規制部材（球戻り規制部材５０）と、を有する遊技機（遊技機１０）であって、
前記遊技領域には、前記遊技盤の前面に対して起立するように配置されて、前記遊技領域内に進入した遊技球の進路を変更可能な樹脂突部（樹脂突部４０、詳細には、第１樹脂突部４１と第２樹脂突部４２）が備えられ、
前記樹脂突部の外面には、前記連絡部側を向き、且つ、鉛直に起立するか又は下側へ向かうにつれて前記連絡部から離れるように傾斜した第１平面部（左向き鉛直面４１Ａ、左向き傾斜面４２Ａ）と、上側を向き、且つ、前記連絡部から離れるにつれて下るように傾斜した第２平面部（上向き傾斜面４１Ｂ，４２Ｂ）と、が形成されている遊技機。
【００４３】
本特徴に示す構成では、遊技領域内に進入した遊技球が樹脂突部に連絡部側から衝突すると、その遊技球は、第１平面部によって跳ね返される。ここで、第１平面部は、鉛直に起立するか又は下側へ向かうにつれて連絡部から離れるように傾斜しているので、第１平面部に跳ね返された遊技球は樹脂突部から下側に移動し易くなり、連絡部よりも下側を流下し易くなる。また、遊技領域内に進入した遊技球が樹脂突部に上側から衝突すると、その遊技球は、第２平面部によって連絡部から遠ざかるように跳ね返される。このように、本構成によれば、樹脂突部に跳ね返された遊技球が球戻り規制部材に衝突することが抑制され、球戻り規制部材の破損が抑制される。
【００４４】
［特徴Ａ２］
特徴Ａ１に記載の遊技機において、
前記樹脂突部の外面には、上側に膨出する凸面状をなして前記第１平面部と前記第２平面部を連絡する曲面部（連絡凸面４３）が形成されている遊技機。
【００４５】
本特徴に示す構成では、遊技領域内に進入した遊技球が樹脂突部において第１平面部と第２平面部に挟まれたコーナー部分に衝突すると、その遊技球は曲面部に跳ね返される。ここで、曲面部は、上側に膨出する凸面状をなすので、曲面部に跳ね返された遊技球は、連絡部から遠ざかり易くなる。これにより、樹脂突部に衝突した遊技球が球戻り規制部材に衝突することが抑制され、球戻り規制部材の破損が抑制される。
【００４６】
［特徴Ａ３］
特徴Ａ２に記載の遊技機において、
前記曲面部は、その凸面の頂点（頂点４３Ｔ）から前記第１平面部に連絡する第１湾曲部（第１湾曲部４３Ａ）と、前記凸面の頂点から前記第２平面部に連絡する第２湾曲部（第２湾曲部４３Ｂ）と、で構成され、
前記第１湾曲部が前記第２湾曲部よりも長くなっている遊技機。
【００４７】
本特徴に示す構成では、曲面部において頂点から第１平面部に連絡する第１湾曲部が該頂点から第２平面部に連絡する第２湾曲部よりも長くなっているので、樹脂突部の上部に連絡部側から衝突する遊技球を連絡部から遠ざかるように跳ね返し易くなる。
【００４８】
［特徴Ａ４］
特徴Ａ３に記載の遊技機において、
前記第１湾曲部は、前記第２湾曲部よりも上下方向に長くなっている遊技機。
【００４９】
本特徴に示す構成では、樹脂突部に連絡部側から近づく遊技球を第１湾曲部に衝突させ易くなる。
【００５０】
［特徴Ａ５］
特徴Ａ３又はＡ４に記載の遊技機において、
前記第１湾曲部は、前記第２湾曲部よりも横方向に長くなっている遊技機。
【００５１】
本特徴に示す構成によれば、曲面部の頂点が連絡部から離れる側に寄せて配置されることとなり、第１湾曲部の曲り具合が大きくなって、遊技球が連絡部側へ跳ね返ることが抑制される。
【００５２】
［特徴Ａ６］
特徴Ａ２乃至Ａ５のうち何れか１に記載の遊技機において、
前記樹脂突部には、前記連絡部の真横に配置される第１樹脂突部（第１樹脂突部４１）と、前記第１樹脂突部よりも上側で且つ前記連絡部から離れた側に配置される第２樹脂突部（第２樹脂突部４２）と、が設けられ、
前記第１樹脂突部においては、前記第１平面部（左向き鉛直面４１Ａ）が鉛直に起立する一方、
前記第２樹脂突部においては、前記第１平面部（左向き傾斜面４２Ａ）が下側へ向かうにつれて前記連絡部から離れるように傾斜する遊技機。
【００５３】
本特徴に示す構成では、第１樹脂突部よりも第２樹脂突部の方が遊技領域内に進入した遊技球と衝突し易い位置に配置される。そして、第２樹脂突部の第１平面部が下側へ向かうにつれて連絡部から離れるように傾斜するので、遊技領域内に進入した遊技球を下側へ向けて流下させ易くなる。また、第２樹脂突部によって遊技球が連絡部側に跳ね返されても、その遊技球を第１樹脂突部に衝突させて、球戻り規制部材への衝突を防ぐことが可能となる。また、第１樹脂突部の第１平面部が鉛直に起立することで、連絡部と第１樹脂突部の間の間隔を広くすることが可能となり、連絡部と第１樹脂突部の間に遊技球を流下させることが可能となる。
【００５４】
［特徴Ａ７］
特徴Ａ６に記載の遊技機において、
前記第１樹脂突部においては、前記第１平面部と前記第２平面部（上向き傾斜面４１Ｂ）が前記曲面部を介さずに連絡される一方、
前記第２樹脂突部においては、前記第１平面部と前記第２平面部（上向き傾斜面４２Ｂ）が前記曲面部を介して連絡される遊技機。
【００５５】
本特徴に示す構成によれば、第１樹脂突部よりも遊技球と衝突する可能性が高い第２樹脂突部に曲面部を備えることで、第２樹脂突部に衝突した遊技球を連絡部から遠ざけ易くなる。また、遊技球と衝突する可能性が第２樹脂突部よりも低い第１樹脂突部に曲面部を備えない構成とすることで、第１樹脂突部の構造を簡易にすることが可能となる。
【００５６】
［特徴Ａ８］
特徴Ａ６又はＡ７の記載の遊技機において、
前記遊技盤と直交する方向から見て、前記第１樹脂突部が前記第２樹脂突部よりも小さくなっている遊技機。
【００５７】
本特徴に示す構成では、遊技領域内に進入した遊技球が第１樹脂突部よりも第２樹脂突部に衝突し易くなる。そして、第２樹脂突部の第１平面部は、下側へ向かうにつれて連絡部から離れるように傾斜するので、遊技球を第２樹脂突部によって下側に跳ね返し易くなる。
【００５８】
［特徴Ａ９］
遊技球が流下可能な遊技領域（遊技領域Ｒ１）を前面に有する遊技盤（遊技盤１１）と、
発射装置（発射装置６１）により発射された遊技球を前記遊技領域の上部に向けて誘導する球誘導路（球誘導路６２）と、
前記球誘導路と前記遊技領域とを連絡する連絡部（進入口１２Ｋ）に設けられて、前記遊技領域内に進入した遊技球が前記球誘導路に戻ることを規制する球戻り規制部材（球戻り規制部材５０）と、
前記遊技盤の前面に対して起立するように配置されて、前記遊技領域内に進入した遊技球の進路を変更可能な複数の樹脂突部（第１樹脂突部４１、第２樹脂突部４２）と、を有する遊技機（遊技機１０）であって、
前記複数の樹脂突部には、前記連絡部に対して斜め上側に配置され、その連絡部側を向く面に下側へ向かうにつれて前記連絡部から離れるように傾斜した第１傾斜平面部（左向き傾斜面４２Ａ）を有する上側樹脂突部（第２樹脂突部４２）が備えられている遊技機。
【００５９】
本特徴に示す構成では、遊技領域内に進入した遊技球が上側樹脂突部に連絡部側から衝突すると、その遊技球は、第１傾斜平面部によって跳ね返される。ここで、第１傾斜平面部は、下側へ向かうにつれて連絡部から離れるように傾斜しているので、第１傾斜平面部に跳ね返された遊技球は樹脂突部から下側に移動し易くなり、連絡部よりも下側を流下し易くなる。このように、本構成によれば、上側樹脂突部に跳ね返された遊技球が球戻り規制部材に衝突することが抑制され、球戻り規制部材の破損が抑制される。
【００６０】
［特徴Ａ１０］
特徴Ａ９に記載の遊技機において、
前記上側樹脂突部は、上側を向く面に、前記連絡部から離れるにつれて下るように傾斜した第２傾斜平面部（上向き傾斜面４２Ｂ）を有する遊技機。
【００６１】
本特徴に示す構成では、遊技領域内に進入した遊技球が上側樹脂突部に上側から衝突すると、その遊技球は、第２傾斜平面部によって連絡部から遠ざかるように跳ね返される。これにより、上側樹脂突部に跳ね返された遊技球が球戻り規制部材に衝突することが抑制され、球戻り規制部材の破損が抑制される。
【００６２】
［特徴Ａ１１］
特徴Ａ１０に記載の遊技機において、
前記上側樹脂突部は、上側に膨出する凸面状をなして前記第１傾斜平面部と前記第２傾斜平面部を連絡する曲面部（連絡凸面４３）を有する遊技機。
【００６３】
本特徴に示す構成では、遊技領域内に進入した遊技球が上側樹脂突部において第１傾斜平面部と第２傾斜平面部に挟まれたコーナー部分に衝突すると、その遊技球は曲面部に跳ね返される。ここで、曲面部は、上側に膨出する凸面状をなすので、曲面部に跳ね返された遊技球は、連絡部から遠ざかり易くなる。これにより、上側樹脂突部に衝突した遊技球が球戻り規制部材に衝突することが抑制され、球戻り規制部材の破損が抑制される。
【００６４】
［特徴Ａ１２］
特徴Ａ１１に記載の遊技機において、
前記曲面部は、その凸面の頂点（頂点４３Ｔ）から前記第１傾斜平面部に連絡する第１湾曲部（第１湾曲部４３Ａ）と、前記凸面の頂点から前記第２傾斜平面部に連絡する第２湾曲部（第２湾曲部４３Ｂ）と、で構成され、
前記第１湾曲部が前記第２湾曲部よりも長くなっている遊技機。
【００６５】
本特徴に示す構成では、曲面部において頂点から第１傾斜平面部に連絡する第１湾曲部が該頂点から第２傾斜平面部に連絡する第２湾曲部よりも長くなっているので、上側樹脂突部の上部に連絡部側から衝突する遊技球を連絡部から遠ざかるように跳ね返し易くなる。
【００６６】
［特徴Ａ１３］
特徴Ａ１２に記載の遊技機において、
前記第１湾曲部は、前記第２湾曲部よりも上下方向に長くなっている遊技機。
【００６７】
本特徴に示す構成では、上側樹脂突部に連絡部側から近づく遊技球を第１湾曲部に衝突させ易くなる。
【００６８】
［特徴Ａ１４］
特徴Ａ１２又はＡ１３に記載の遊技機において、
前記第１湾曲部は、前記第２湾曲部よりも横方向に長くなっている遊技機。
【００６９】
本特徴に示す構成によれば、曲面部の頂点が連絡部から離れる側に寄せて配置されることとなり、第１湾曲部の曲り具合が大きくなって、遊技球が連絡部側に跳ね返ることが抑制される。
【００７０】
［特徴Ａ１５］
特徴Ａ９乃至Ａ１４のうち何れか１に記載の遊技機において、
前記複数の樹脂突部には、前記連絡部の真横に配置され、その連絡部側を向く面に鉛直方向に沿って起立した鉛直平面部（左向き鉛直面４１Ａ）を有する対向樹脂突部（第１樹脂突部４１）が備えられ、
前記対向樹脂突部は、上側を向く面に、前記連絡部から離れるにつれて下るように傾斜した第３傾斜平面部（上向き傾斜面４１Ｂ）を有する遊技機。
【００７１】
本特徴に示す構成では、上側樹脂突部によって遊技球が連絡部側に跳ね返された場合であっても、その遊技球を対向樹脂突部に衝突させて、球戻り規制部材への衝突を防ぐことが可能となる。また、対向樹脂突部の第３傾斜平面部が鉛直に起立することで、連絡部と対向樹脂突部の間の間隔を広くすることが可能となり、連絡部と第１樹脂突部の間に遊技球を流下させることが可能となる。
【００７２】
［特徴Ａ１６］
特徴Ａ１５に記載の遊技機において、
前記遊技盤と直交する方向から見て、前記対向樹脂突部が前記上側樹脂突部よりも小さくなっている遊技機。
【００７３】
本特徴に示す構成では、遊技領域内に進入した遊技球が対向樹脂突部よりも上側樹脂突部に衝突し易くなる。そして、上側樹脂突部の第１傾斜平面部は、下側へ向かうにつれて連絡部から離れるように傾斜するので、遊技球を上側樹脂突部によって下側に跳ね返し易くなる。
【００７４】
［特徴Ａ１７］
遊技球が流下可能な遊技領域（遊技領域Ｒ１）を前面に有する遊技盤（遊技盤１１）と、
発射装置（発射装置６１）により発射された遊技球を前記遊技領域の上部に向けて誘導する球誘導路（球誘導路６２）と、
前記球誘導路と前記遊技領域とを連絡する連絡部（進入口１２Ｋ）に設けられて、前記遊技領域内に進入した遊技球が前記球誘導路に戻ることを規制する球戻り規制部材（球戻り規制部材５０）と、を有する遊技機（遊技機１０）であって、
前記遊技領域には、前記遊技盤の前面に対して起立するように配置されて、前記遊技領域内に進入した遊技球の進路を変更可能な樹脂突部（樹脂突部４０、詳細には、第１樹脂突部４１と第２樹脂突部４２）が備えられ、
前記樹脂突部の外面は、前記樹脂突部に跳ね返された遊技球が前記連絡部へ向かうことが困難な形状に形成されている遊技機。
【００７５】
本特徴に示す構成では、遊技領域内に進入した遊技球が樹脂突部に衝突すると、その樹脂突部に跳ね返された遊技球は連絡部へ向かうことが困難となる。これにより、球戻り規制部材に遊技球が衝突することが抑制され、球戻り規制部材の破損を抑制することが可能となる。
【００７６】
なお、特徴Ａ１７に示す構成に、特徴Ａ２〜Ａ１６に示す構成が組み合わされてもよい。
【符号の説明】
【００７７】
１０    遊技機
１１    遊技盤
１２Ｋ    進入口
４１    第１樹脂突部
４１Ａ    左向き鉛直面
４１Ｂ    上向き傾斜面
４２    第２樹脂突部
４２Ａ    左向き傾斜面
４２Ｂ    上向き傾斜面
４３    連絡凸面
４３Ａ    第１湾曲部
４３Ｂ    第２湾曲部
５０    球戻り規制部材
６２    球誘導路
Ｒ１    遊技領域
【図１】
2019058465.tif 000003
【図２】
2019058465.tif 000004
【図３】
2019058465.tif 000005
【図４】
2019058465.tif 000006
【図５】
2019058465.tif 000007
【図６】
2019058465.tif 000008